(57)【要約】【課題】外部から衝撃や振動が加わっても、液晶表示パネルの位置ずれや振動の発生を防止もしくは抑制できる表示装置を提供すること。【解決手段】第一の表示パネル保持部材１１の表示パネル１３の周縁部が係合する位置と、第二の表示パネル保持部材１２の表示パネル１３の周縁部が係合する位置に、緩衝材１１４，１２２を設けるとともに、この緩衝材１４４，１２２の表示パネル１３に当接する面に、この緩衝材１１４，１２２よりも摩擦係数が高い層１１６，１２３を形成し、表示パネル１３を、この摩擦係数が高い層１１６，１２３と緩衝材とを介して、第一の表示パネル保持部材１１と第二の表示パネル保持部材１２とにより挟むようにして保持する。【選択図】図４
2008096851.tif 000002
【特許請求の範囲】
【請求項１】
表示パネルと、該表示パネルを保持する表示パネル保持部材と、を備え、該表示パネル保持部材の前記表示パネルに係合する面の少なくとも一部には緩衝材が設けられるとともに、該緩衝材の前記表示パネルに当接する面の少なくとも一部には、前記緩衝材よりも摩擦係数が高い層が設けられることを特徴とする表示装置。
【請求項２】
前記緩衝材は、発泡材料からなることを特徴とする請求項１に記載の表示装置。
【請求項３】
前記発泡材料は、高密度マイクロセルウレタンフォームであることを特徴とする請求項２に記載の表示装置。
【請求項４】
前記緩衝材よりも摩擦係数が高い層は、ゴムからなることを特徴とする請求項１から請求項３のいずれかに記載の表示装置。
【請求項５】
表示パネルと、該表示パネルを保持する第一の表示パネル保持部材と、前記表示パネルを保持する第二の表示パネル保持部材と、を備え、前記第一の表示パネル保持部材と前記第二の表示パネル保持部材の少なくとも一方の前記表示パネルの周縁部が係合する位置の少なくとも一部には緩衝材が設けられ、該緩衝材の前記表示パネルに当接する面の少なくとも一部には前記緩衝材よりも摩擦係数が高い層が形成されるとともに、前記表示パネルはその周縁部が前記摩擦係数が高い層および前記緩衝材を介して前記第一の表示パネル保持部材と前記第二の表示パネル保持部材との間に挟持されることを特徴とする表示装置。
【請求項６】
少なくとも前記第一の表示パネル保持部材と前記第二の表示パネル保持部材の一方には前記表示パネルを位置決めするガイドが設けられ、該ガイドの前記表示パネルの端面に係合する面には緩衝材が設けられるとともに、該緩衝材の前記表示パネルの端面に当接する面の少なくとも一部には、前記緩衝材よりも摩擦係数が高い層が設けられることを特徴とする請求項５に記載の表示装置。
【請求項７】
前記緩衝材は、発泡材料からなることを特徴とする請求項５または請求項６に記載の表示装置。
【請求項８】
前記発泡材料は、高密度マイクロセルウレタンフォームであることを特徴とする請求項７に記載の表示装置。
【請求項９】
前記緩衝材よりも摩擦係数が高い層は、ゴムからなることを特徴とする請求項５から請求項８のいずれかに記載の表示装置。
【発明の詳細な説明】
【技術分野】
【０００１】
本発明は、表示装置に関するものであり、特に好適には、表示パネルとして液晶表示パネルを備える液晶表示装置に関するものである。
【背景技術】
【０００２】
図８は、透過型の液晶表示パネルを備える液晶表示装置の要部の構成の従来例を、模式的に示した分解斜視図である。この図８に示す液晶表示装置９は、液晶表示パネル９１と、この液晶表示パネル９１を保持および保護する機能を有するフレーム９２およびベゼル９３と、その他の所定の部材と、を備える。
【０００３】
フレーム９２の各辺の所定の位置には、突起状のガイド９２１が設けられており、液晶表示パネル９１はこれらのガイド９２１に囲まれる領域に配設される。これらのガイド９２１の内周面側の液晶表示パネル９１の四辺を配設する箇所には、スポンジ状の緩衝材９２２が設けられる。また、ベゼル９３の背面側（すなわち、液晶表示パネル９１に対向する側。図８においては下方側）の面にも、スポンジ状の緩衝材（図８においては隠れて見えない）が設けられる。
【０００４】
そして、フレーム９２の前面側（図８においては上方をいうものとする）に液晶表示パネル９１が配設され、さらにその前面側からベゼル９３が装着される。したがって、液晶表示パネル９１は、緩衝材９２２を介してフレーム９２とベゼル９３との間に挟まれた状態になる。このような構成によれば、緩衝材９２２が液晶表示パネル９１を衝撃や振動から保護するとともに、液晶表示パネル９１とフレーム９２および／またはベゼル９３と間で、振動などに起因する異音の発生を防止することができる。
【０００５】
しかしながらこのような構成では、次のような問題が生じるおそれがある。近頃の液晶表示パネルのサイズの大型化にともなって、液晶表示パネルの自重も大きくなってきている。液晶表示パネルの自重が増加すると液晶表示パネルの慣性力も増加するから、液晶表示装置が振動した場合や外部から衝撃が加わった場合において、緩衝材の表面と表示パネルとの間の摩擦力のみでは、液晶表示パネルの位置ずれや振動を防止することが困難となる。このため液晶表示パネルと緩衝材の表面との間の摩擦力に抗って液晶表示パネルが振動や移動しやすくなる。
【０００６】
液晶表示パネル９１が移動すると、その縁部がフレーム９２に設けられるガイド９２１に乗り上げることがある。その結果、液晶表示パネル９１に不測の力が加わり、液晶表示パネル９１が破損するおそれがある。また、液晶表示パネル９１が振動すると、液晶表示パネル９１に装着されるＴＡＢ（Tape Carrier Package）９１１に断続的または継続的に捻れなどが生じることがある。その結果、ＴＡＢ９１１に設けられる配線が破損したり、ＴＡＢ９１１に実装されるドライバＩＣなどの素子がフィルムから剥離したりするおそれがある。
【０００７】
【特許文献１】特開２００５−２０２０３６号公報
【発明の開示】
【発明が解決しようとする課題】
【０００８】
上記実情に鑑み、本発明が解決しようとする課題は、外部から衝撃や振動が加わっても、液晶表示パネルの位置ずれや振動の発生を防止もしくは抑制できる表示装置を提供すること、または液晶表示パネルの位置ずれや振動に起因する液晶表示パネルもしくはＴＡＢなどの破損を防止もしくは抑制できる表示装置を提供することである。
【課題を解決するための手段】
【０００９】
前記課題を解決するため本発明は、表示パネルを保持する表示パネル保持部材の表示パネルに係合する面の少なくとも一部に、緩衝材を設けるとともに、この緩衝材の面のうち、前記表示パネルに当接する面の少なくとも一部に、この緩衝材よりも摩擦係数が高い層を設ける。
【００１０】
前記緩衝材は、発泡材料が好適に適用でき、さらに発泡材料としては、高密度マイクロセルウレタンフォームが好適に適用できる。一方、前記緩衝材よりも摩擦係数が高い層を形成する材料としては、たとえばゴムなどが適用できる。
【００１１】
また、本発明は、表示パネルを保持する第一の表示パネル保持部材および第二の表示パネル保持部材とを備え、前記第一の表示パネル保持部材と前記第二の表示パネル保持部材の少なくとも一方の前記表示パネルの周縁部が係合する位置の少なくとも一部に、緩衝材を設けるとともに、この緩衝材の表示パネルに当接する面の少なくとも一部に、この緩衝材よりも摩擦係数が高い層を形成し、表示パネルを、この摩擦係数が高い層および緩衝材を介して、前記第一の表示パネル保持部材と前記第二の表示パネル保持部材との間に挟持する構成としてもよい。
【００１２】
さらに、少なくとも前記第一の表示パネル保持部材と前記第二の表示パネル保持部材の一方に、表示パネルを位置決めするガイドを設け、このガイドの表示パネルの端面に係合する面に緩衝材を設けるとともに、この緩衝材の表示パネルの端面に当接する位置の少なくとも一部には、この緩衝材よりも摩擦係数が高い層を設ける構成としてもよい。
【発明の効果】
【００１３】
本発明によれば、緩衝材の表面に設けられる摩擦係数が高い層が液晶表示パネルの表面に当接し、この状態で表示パネルが表示パネル保持部材により保持される。したがって、表示装置に衝撃が加わった場合や、表示装置が振動した場合において、液晶表示パネルが移動することや振動することを防止または抑制できる。このため、液晶表示パネルがフレームに設けられるガイドに乗り上げて破損したり、液晶表示パネルに装着されるＴＡＢの破損やＴＡＢに実装される素子が剥離したりすることを防止できる。
【発明を実施するための最良の形態】
【００１４】
以下に、本発明の実施形態について、図面を参照して詳細に説明する。
【００１５】
図１は、本発明の実施形態に適用される第一の表示パネル保持部材および第二の表示パネル保持部材により保持される表示パネル１３の構成を、模式的に示した外観斜視図である。
【００１６】
表示パネル１３には、従来一般のアクティブマトリックスタイプの液晶表示パネルなどが適用できる。簡単に説明すると、この表示パネル１３は、一対の基板が所定の微小な間隔をおいて相対向して配設され、その間に液晶が充填されるという構成を備える。そして表示パネル１３の一方の基板には、複数の絵素（図略）とこれらの複数の絵素のそれぞれを駆動するスイッチング素子（図略。たとえば薄膜トランジスタ）とがマトリックス状に配列される領域１３１が設けられる。
【００１７】
また、表示パネル１３の周縁部には、スイッチング素子を駆動するためのドライバＩＣ１３３，１３５が実装されたＴＡＢ（Tape Carrier Package）１３２，１３４が装着される。具体的には、表示パネル１３の短辺の少なくとも一方には、スイッチング素子に伝送するゲートパルスを生成するゲートドライバ１３３が実装される複数のＴＡＢ１３２が、所定の間隔をおいて装着される。また表示パネル１３の長辺の少なくとも一方には、スイッチング素子に伝送するデータ信号を生成するソースドライバ１３５が実装される複数のＴＡＢ１３４が、所定の間隔をおいて装着される。
【００１８】
さらにソースドライバ１３５が実装されるＴＡＢ１３４は、これらに所定の信号などを分配するプリント配線基板１３６が装着される。このプリント配線基板１３６は細長い略長方形の形状を有し、その長手方向が表示パネル１３の長辺に略平行になるように配設される。
【００１９】
図２は、本発明の実施形態にかかる表示装置に適用できる第一の表示パネル保持部材１１の構成を模式的に示した外観斜視図と、その一部（Ａ部およびＢ部）を拡大して示した部分拡大図（Ａ部拡大図およびＢ部拡大図）である。説明の便宜上、図２中の上方を、第一の表示パネル保持部材１１の「前面側」と称し、下方を「背面側」と称する。
【００２０】
第一の表示パネル保持部材１１は、一般的にはフレームと称される部材である。この第一の表示パネル保持部材（すなわちフレーム）１１は、たとえば、樹脂材料により一体に形成されるか、樹脂材料により形成される部品を組み合わせて形成されるか、金属板材からなりプレス加工などを用いて一体に形成されるか、または金属材料からなりプレス加工などを用いて形成される部品を組み合わせて形成される。
【００２１】
第一の表示パネル保持部材１１は、開口した略四辺形、たとえば額縁状の形状を有する。各辺の前面の外周側には、表示パネル１３を位置決めするためのガイド１１１，１１２が設けられる。これらのガイド１１１，１１２は、前面側に向かって突起する壁状または島状の構造物である。そしてこれらのガイド１１１，１１２に囲まれる領域に、表示パネル１３を嵌め込むように配設することにより、表示パネル１３を位置決めすることができる。
【００２２】
別の表現をすると、第一の表示パネル保持部材１１の各辺の前面は、その内周側が背面側に窪んでおり、この窪みに表示パネル１３を嵌め込むように配設することができる。
【００２３】
なお、これらのガイド１１１，１１２は、表示パネル１３を配設した状態において、表示パネル１３に装着されるＴＡＢ１３２，１３４と干渉しない位置に設けられる。具体的には、表示パネル１３を第一の表示パネル保持部材１１の前面側に配設した状態において、表示パネル１３のＴＡＢ１３２，１３４が装着されない辺に対応する第一の表示パネル保持部材１１の辺には、その全長にわたって壁状のガイド１１１が設けられる。これに対して表示パネル１３のＴＡＢ１３２，１３４が装着される辺に対応する第一の表示パネル保持部材１１の辺には、ＴＡＢ１３２，１３４に一致しない位置（すなわち干渉しない位置）に、浮島状のガイド１１２が設けられる。
【００２４】
また、各辺の外周側には、背面側に向かって起立する側壁１１３が設けられる。このため第一の表示パネル保持部材１１の各辺は、略「Ｌ」字状の断面形状を有する。
【００２５】
そしてガイド１１１，１１２に囲まれる領域には（すなわち、各辺の前面の内周縁に沿って）、帯状の緩衝材１１４が設けられる（緩衝材１１４については、特にＡ部拡大図とＢ部拡大図を参照）。また、ガイド１１１，１１２の内周側の所定の位置にも、緩衝材１１５が設けられる（緩衝材１１５については、特にＡ部拡大図とＢ部拡大図を参照）。図２においては、島状に形成されるガイド１１２の内周側と、壁状に形成されるガイド１１１の全長に緩衝材が設けられる構成を示す。
【００２６】
これらの緩衝材１１４，１１５は、表示パネル１３と第一の表示パネル保持部材１１との間において振動に起因する異音の発生を防止したり、外部から加わる衝撃などから表示パネル１３を保護したりする機能を有する。そしてこれらの緩衝材１１４，１１５には、たとえば発泡材料が適用できる。発泡材料としては、高密度マイクロセルウレタンフォームが挙げられる。
【００２７】
なお、前記および図２に示す緩衝材１１４，１１５を設ける位置は例示であり、本発明はこの位置に限定されるものではない。たとえば、図２に示すようにガイド１１１，１１２に囲まれる領域の各辺の全長にわたって緩衝材１１４を設ける構成の他、島状の緩衝材を所定の間隔をおいて設ける構成であってもよい。同様に、壁状のガイド１１１の内周側の面の所定の位置に緩衝材を点在させる構成であってもよい。
【００２８】
そして、緩衝材１１４，１１５の表面のうち、表示パネル１３に当接する面の所定の位置には、この緩衝材１１４，１１５よりも摩擦係数が高い層１１６が形成される（特に、Ａ部拡大図とＢ部拡大図を参照）。摩擦係数が高い層１１６の形成方法としては、たとえば、緩衝材１１４，１１５の表面にこれらの緩衝材１１４，１１５よりも摩擦係数が高い材料からなるシートやフィルムを貼り付ける方法、緩衝材１１４，１１５の表面に、これらの緩衝材１１４，１１５よりも摩擦係数が高い材料のコーティングを施す方法などが適用できる。摩擦係数が高い材料としては、天然ゴムや合成ゴムなどが挙げられる。
【００２９】
このほか、前記のとおり緩衝材１１４，１１５が発泡材料からなるものであれば、緩衝材１１４，１１５の表層を加熱して溶解し、緩衝材１１４，１１５の表層に存在する気泡を除去する方法であってもよい。緩衝材１１４，１１５の表層に存在する気泡が無くなると、緩衝材１１４，１１５と表示パネル１３との接触面積が増加するから、全体として摩擦力が増加する（すなわち、摩擦係数が増加したように見える）ものと考えられる。
【００３０】
なお、緩衝材１１４，１１５よりも摩擦係数が高い層１１６は、緩衝材１１４，１１５の表示パネル１３に当接する面の全体にわたって形成してもよく、一部に形成してもよい。
【００３１】
図３は、本発明の実施形態にかかる表示装置に適用できる第二の表示パネル保持部材１２の構成を模式的に示した外観斜視図と、その一部（Ｃ部）を抜き出して示した部分拡大図（Ｃ部拡大図）である。説明の便宜上、図３中の上方を、第二の表示パネル保持部材１２の「背面側」と称し、下方を「前面側」と称する。
【００３２】
第二の表示パネル保持部材１２は、一般的には「ベゼル」または「フロントベゼル」と称される部材である。第二の表示パネル保持部材（すなわち「ベゼル」または「フロントベゼル」）１２は、たとえば、樹脂材料により一体に形成されるか、樹脂材料により形成される部材を組み合わせて構成されるか、金属材料からなりプレス加工などを用いて一体的に形成されるか、金属材料からなりプレス加工などを用いて形成される部品を組み合わせて構成される。
【００３３】
第二の表示パネル保持部材１２は、開口した略四辺形の形状、たとえば額縁状の形状を有する。第二の表示パネル保持部材１２の各辺の外周側には、背面側に向かって起立する側壁１２１が設けられる。このため第二の表示パネル保持部材１２の各辺は、略「Ｌ」字状の断面形状を有する。そして各辺の背面の内周寄りには、開口部の縁に沿うように帯状の緩衝材１２２が設けられる。そして緩衝材の表示パネル１３に当接する面には、緩衝材１２２よりも摩擦係数が高い層１２３が形成される（特にＣ部拡大図を参照）。
【００３４】
この緩衝材１２２は、表示パネル１３と第二の表示パネル保持部材１２との間からの塵埃などの侵入を防止したり、表示パネル１３と第二の表示パネル保持部材１２との間において振動に起因する異音の発生を防止したり、外部から加わる衝撃などから表示パネル１３を保護したりする機能を有する。この緩衝材１２２には、第一の表示パネル保持部材１１に適用する緩衝材１１４，１１５と同じ材質のものが適用できる。
【００３５】
図４は、第一の表示パネル保持部材１１と第二の表示パネル保持部材１２とにより表示パネル１３を保持する構造を、模式的に示した断面図である。図４中の上方が、図２中の上方および図３中の下方に対応する。図４に示すように、第一の表示パネル保持部材１１の前面側のガイド１１１，１１２に囲まれる領域に表示パネル１３が配設され、さらにその前面側に第二の表示パネル保持部材１２が配設される。したがって、表示パネル１３は、第一の表示パネル保持部材１１と第二の表示パネル保持部材１２との間に挟まれた状態で保持される。
【００３６】
また、ソースドライバ１３５が実装されるＴＡＢ１３４に接続されるプリント配線基板１３６は、第一の表示パネル保持部材１１の側壁１１３の外周面上に、ネジ（図示せず）などを用いて固定される。
【００３７】
図４に示すように、第一の表示パネル保持部材１１の前面のガイド１１１，１１２に囲まれる領域には緩衝材１１４が設けられ、その表面には、これらの緩衝材１１４よりも摩擦係数が高い層１１６が形成される。そして表示パネル１３の背面の周縁部は、この摩擦係数が高い層１１６に当接する。また、ガイド１１１，１１２の内周面にも緩衝材１１５が設けられ、それらの表面にも摩擦係数が高い層１１６が設けられる。そして表示パネル１３の端面が、この摩擦係数が高い層１１６に当接する。
【００３８】
第二の表示パネル保持部材１２の背面の内周寄りには緩衝材１２２が設けられ、これらの表面には、これらの緩衝材１２２よりも摩擦係数が高い層１２３が形成される。そして表示パネル１３の前面の周縁部は、この摩擦係数が高い層１１６，１２３に当接する。
【００３９】
このように、表示パネル１３は、緩衝材１１４，１２２およびそれらの表面に形成される摩擦係数が高い層１１６，１２３を介して、第一の表示パネル保持部材１１と第二の表示パネル保持部材１２とにより挟まれる状態で保持される。緩衝材１１４，１２２の表面には摩擦係数が高い層１１６，１２３が形成され、表示パネル１３はこの摩擦係数が高い層１１６，１２３に当接するから、表示パネル１３と緩衝材１１４，１２２との間の滑りを防止または抑制し、表示パネル１３がその面方向に移動することを防止または抑制する。
【００４０】
このため、外部から衝撃が加わった場合や、表示パネル１３などが振動した場合において、表示パネル１３が移動し、その外周縁がガイド１１１，１１２に乗り上げることを防止できる。したがって、表示パネル１３の周縁部の破損することを防止または抑制できる。また、表示パネル１３の面方向の移動が防止または抑制されるから、表示パネル１３に装着されるＴＡＢ１３２，１３４に捩れや引っ張り等の不測の力が加わることを防止または抑制できる。したがって、ＴＡＢ１３２，１３４の破損や、ＴＡＢ１３２，１３４に実装されるゲートドライバ１３３やソースドライバ１３５の剥離を防止または抑制できる。
【００４１】
なお、前記作用効果を奏することができるのであれば、摩擦係数が高い層１１６，１２３が形成される位置は限定されるものではない。すなわちたとえば、緩衝材１１４，１１５，１２２の表示パネル１３に当接する面の全域に形成してもよく、特定の箇所にのみ形成してもよい。
【００４２】
たとえばＴＡＢ１３２，１３４の破損、ゲートドライバ１３３やソースドライバ１３５の剥離は、特に表示パネル１３がプリント配線基板１３６に接続されるＴＡＢ１３４が装着される辺（図に示す構成では長辺）に平行な方向に移動した場合に生じやすい。
【００４３】
すなわち、このようなＴＡＢ１３４はその一端が表示パネル１３に固定され、他端がプリント配線基板１３６に固定されるから、表示パネル１３が前記方向に移動すると、ＴＡＢ１３４に捩れが生じやすい。このため、単純に引張りが加わる場合に比較すると、ＴＡＢ１３４が破損しやすい。また、ＴＡＢ１３４に装着されるソースドライバ１３５は一般にＴＡＢ１３４よりも硬いから、ＴＡＢ１３４に捩れが生じると、ソースドライバ１３５がＴＡＢ１３４から剥離しやすくなる。
【００４４】
したがって、ＴＡＢ１３４の破損やソースドライバ１３５の剥離を防止または抑制するには、特に表示パネル１３が、プリント配線基板１３６に接続されるＴＡＢ１３４が装着される辺に平行な方向に移動することを特に防止または抑制することが好ましい。このため、第一の表示パネル保持部材１１および／または第二の表示パネル保持部材１２の各辺に設けられる緩衝材のうち、プリント配線基板１３６に接続されるＴＡＢ１３４が装着される辺およびこの辺に対向する辺の全長にわたって、その表面に摩擦係数が高い層１１６，１２３を形成することが好ましく、その他の部分には形成しなくともよい。
【００４５】
このような構成とすると、特に表示パネル１３の移動を防止または抑制したい方向の全長にわたって、摩擦係数が高い層１１６，１２３が表示パネル１３に当接するから、その方向への移動を防止または抑制することができる。
【００４６】
このように、緩衝材１１４，１１５，１２２の表面に、これらの緩衝材１１４，１１５，１２２よりも摩擦係数が高い層１１６，１２３を形成する位置および範囲は限定されるものではなく、必要に応じて適宜設定できる。
【００４７】
以下に、本発明の実施形態にかかる表示装置、すなわち第一の表示パネル保持部材１１と第二の表示パネル保持部材１２が適用される表示装置について説明する。なお、本発明の実施形態にかかる表示装置は、正確には、第一の表示パネル保持部材１１が組み込まれる光源装置に、表示パネル１３と第二の表示パネル保持部材１２が組み付けられる構成を有する。そこでまず、本発明の実施形態にかかる表示装置に組み込まれる光源装置について説明する。
【００４８】
図５は、本発明の実施形態にかかる表示装置に適用できる光源装置５の要部の構成を、模式的に示した分解斜視図である。図５に示すようにこの光源装置５は、シャーシ５１と、反射シート５２と、光源５３と、サイドホルダ５４と、光学シート類５５と、第一の表示パネル保持部材１１と、光源駆動回路基板５６と、光源駆動回路基板カバー５７とを備える。説明の便宜上、図５の上方を光源装置５および光源装置５を構成する各部材の「前面側」と称し、下方を「背面側」と称する。
【００４９】
第一の表示パネル保持部材１１を除く各部材は、従来公知の構成のものが適用できることから、以下簡単に説明し、詳細な説明は省略する。また、第一の表示パネル保持部材１１の構成は前記のとおりである。
【００５０】
シャーシ５１は金属材料または樹脂材料からなる部材であり、底の浅いトレイ状の形状を有する。具体的には、略四辺形の平板状に形成される底面５１１と、この底面５１１の両側に設けられる側壁５１２とを有する。側壁５１２の先端には段差面５１３が設けられる。この段差面５１３には、後述する光学シート類５５を配設できる。
【００５１】
反射シート５２は、光源５３が発する光を乱反射する表面性状を有するシート状または板状の部材である。この反射シート５２は、たとえばシート状または板状の発泡ＰＥＴ（ポリエチレンテレフタレート）等により形成される。
【００５２】
光源５３には、従来公知の各種の光源が適用できる。たとえば冷陰極管や熱陰極管などの各種光源、キセノン管などの放電管、ＬＥＤ等の発光素子などが適用できる。図５に示す光源装置５は、光源５３として線状の蛍光管が適用される構成を有するが、本発明はこの図５に示す構成に限定されるものではない。
【００５３】
サイドホルダ５４は、後述する光学シート類５５のスペーサなどの機能を有する棒状の部材である。このサイドホルダ５４は、たとえば樹脂材料などにより一体的に形成される。
【００５４】
光学シート類５５は、光源５３が発する光の特性を調整するシート状の部材もしくは板状の部材、またはこのような部材の総称である。光学シート類５５には、たとえば光源５３が発する光を拡散して面方向輝度の均一化を図る拡散シートや拡散板、光源５３が発する光を集光して表示パネルの画面の輝度の向上を図るレンズシート、所定の向きの偏光のみを通過しそれ以外の向きの偏光は反射する偏光反射シート、などがある。
【００５５】
そして光学シート類５５は、光源装置５またはこの光源装置５が適用される表示装置の種類などに応じて適宜選択して配設される。たとえば最も背面側に偏光板を配設し、その前面側に拡散シート、レンズシート、拡散シートの順で重ねて配設する構成などが適用できる。
【００５６】
光源駆動回路基板５６は、光源５３を駆動する電子回路および／または電気回路などが構築される回路基板である。たとえば光源５３として蛍光管を適用する場合には、光源駆動回路基板５６には、パルス電圧を生成するインバータ回路などが構築される。光源駆動回路基板カバー５７は、光源駆動回路基板５６を覆う板状または底の浅い容器状の部材であり、たとえば金属などの導体により形成される。
【００５７】
このような部材を備える光源装置５の組み付け構造は、以下のとおりである。
【００５８】
シャーシ５１の前面側に反射シート５２が配設され、さらにその前面側に光源５３が並べて配設される。そしてサイドホルダ５４が、シャーシ５１の各短辺に沿って各光源５３の端部を覆うように配設される。サイドホルダ５４の前面側およびシャーシ５１の側壁５１２の段差面５１３上に所定の光学シート類５５が所定の順序で配設され、その前面側から第一の表示パネル保持部材１１が覆いかぶせるように装着されてシャーシ５１に固定される。また、シャーシ５１の背面側に光源駆動回路基板５６が配設され、各光源５３から引き出されるハーネスが、光源駆動回路基板５６に接続される。そして光源駆動回路基板５６を覆うように光源駆動回路基板カバー５７が装着される。
【００５９】
以上が、本発明の実施形態にかかる表示装置に適用される光源装置５の組み付け構造である。
【００６０】
次に、本発明の実施形態にかかる表示装置、すなわちこの光源装置５が組み込まれる表示装置について説明する。図６はこの光源装置５が組み込まれる表示装置６の要部の構成を、模式的に示した分解斜視図である。図６に示すように本発明の実施形態にかかる表示装置６は、光源装置５と、第二の表示パネル保持部材１２と、コントロール回路基板６１と、コントロール回路基板カバー６２と、を備える。
【００６１】
コントロール回路基板６１およびコントロール回路基板カバー６２は、従来公知のものが適用できる。したがって以下簡単に説明し、詳細な説明は省略する。また、表示パネル１３および第二の表示パネル保持部材１２の構成は前記のとおりである。
【００６２】
コントロール回路基板６１は、外部から入力された画像信号に基づいて、表示パネル１３を駆動するコントロール信号を生成する電子回路および／または電気回路が構築された回路基板である。コントロール回路基板カバー６２は、このコントロール回路基板６１を覆う板状または底の浅い容器状の部材であり、たとえば金属などの導体により形成される。
【００６３】
このような部材を備える表示装置６の組み付け構造は、以下のとおりである。
【００６４】
表示パネル１３は、光源装置５の第一の表示パネル保持部材１１の前面側に配設される。具体的には、第一の表示パネル保持部材１１に形成されるガイド１１１，１１２に囲まれる領域に、嵌め込まれるように配設される。そして第二の表示パネル保持部材１２がその前面側から装着され、第一の表示パネル保持部材１１に固定される。
【００６５】
第一の表示パネル保持部材１１の所定の位置と第二の表示パネル保持部材１２の所定の位置には、それぞれ緩衝材１１４，１１５，１２２が設けられるから、表示パネル１３は、これらの緩衝材１１４，１１５，１２２を介して第一の表示パネル保持部材１１と第二の表示パネル保持部材１２とに挟まれる状態で保持される。そして緩衝材１１４，１１５，１２２の表示パネル１３に当接する面の所定の範囲には、緩衝材１１４，１１５，１２２よりも摩擦係数が高い層１１６，１２３が形成される。したがって表示パネル１３は、この摩擦係数が高い層１１６，１２３によって、移動や振動が防止または抑制される。
【００６６】
また、光源装置５のシャーシ５１の背面側にはコントロール回路基板６１が配設される。そして表示パネル１３のプリント配線基板１３６とコントロール回路基板６１とが、ＦＦＣやＦＰＣなど（図略）によって電気的に接続される。さらにコントロール回路基板６１を覆うようにコントロール回路基板カバー６２が装着される。
【００６７】
以上が、本発明の実施形態にかかる表示装置６の組み付け構造である。
【００６８】
次に本発明の実施形態にかかる表示装置を備えるテレビ受信機７について説明する。図７は、本発明の実施形態にかかる表示装置６を備えるテレビ受信機７の要部の構成を、模式的に示した分解斜視図である。図７に示すようにこのテレビ受信機７は、本発明の実施形態にかかる表示装置６と、チューナ７１と、拡声手段７２と、電源７３と、キャビネット７４１，７４２と、支持部材７５とを備える。なお、チューナ７１、拡声手段７２、電源７３、キャビネット７４１，７４２、支持部材７５は、従来一般に用いられるものが適用できるから、それぞれ簡単に説明し、詳細な説明は省略する。
【００６９】
チューナ７１は、受信した電波から所定のチャンネルの画像信号と音声信号とを生成する。このチューナ７１には、従来一般の地上波チューナ（アナログ地上波用のチューナ、デジタル地上波用のチューナ、またはこれら双方）、ＢＳチューナ、ＣＳチューナなどが適用できる。拡声手段７２は、チューナ７１が生成した音声信号に基づいて音声を発する。この拡声手段７２には、一般的なスピーカなどが適用できる。電源７３は、本発明の実施形態にかかる表示装置６、チューナ７１、拡声手段７２に対して電力を供給することができる。
【００７０】
そして、本発明の実施形態にかかる表示装置６、チューナ７１、拡声手段７２、電源７３が、キャビネット７４１，７４２に収納され、支持部材７５により支持される。図７においては、キャビネットが前面側キャビネット７４１と背面側キャビネット７４２とからなり、これらの間に本発明の実施形態にかかる表示装置６、チューナ７１、拡声手段７２、電源７３が収納される構成を示す。このほか、チューナ７１、拡声手段７２、電源７３が、本発明の実施形態にかかる表示装置６に組み付けられる構成であっても良い。
【００７１】
以上、本発明の実施形態について詳細に説明したが、本発明は前記実施形態に何ら限定されるものではなく、本発明の趣旨を逸脱しない範囲で種々の改変が可能である。
【００７２】
たとえば、前記実施形態においては、第一の表示パネル保持部材１１と第二の表示パネル保持部材１２の両方の緩衝材の表面に摩擦係数が高い層を形成する構成を示したが、いずれか一方のみに形成する構成であってもよい。
【００７３】
また、第一の表示パネル保持部材１１に設けられるガイド１１１，１１２の構成も、前記実施形態において示した構成に限定されるものではない。要は、表示パネル１３の端面に係合することにより、表示パネル１３を位置決めできる構成であればよい。
【図面の簡単な説明】
【００７４】
【図１】本発明の実施形態にかかる表示装置に適用される第一の表示パネル保持部材および第二の表示パネル保持部材により保持される表示パネルの構成を模式的に示した外観斜視図である。
【図２】本発明の実施形態にかかる表示装置に適用される第一の表示パネル保持部材の構成を模式的に示した外観斜視図と、その一部（Ａ部およびＢ部）を抜き出して示した部分拡大図（Ａ部拡大図およびＢ部拡大図）である。
【図３】本発明の実施形態にかかる表示装置に適用される第二の表示パネル保持部材の構成を模式的に示した外観斜視図と、その一部（Ｃ部）を抜き出して示した部分拡大図（Ｃ部拡大図）である。
【図４】第一の表示パネル保持部材と第二の表示パネル保持部材とによる表示パネルを保持する構造を模式的に示した断面図である。
【図５】本発明の実施形態にかかる表示装置に適用できる光源装置の要部の構成を、模式的に示した分解斜視図である。
【図６】本発明の実施形態にかかる表示装置の要部の構成を、模式的に示した分解斜視図である。
【図７】本発明の実施形態にかかる表示装置を適用したテレビ受信機の要部の構成を、模式的に示した分解斜視図である。
【図８】液晶表示パネルを備える液晶表示装置の構成の従来例を、模式的に示した分解斜視図である。
【符号の説明】
【００７５】
１１  第一の表示パネル保持部材
１１１  壁状のガイド
１１２  浮島状のガイド
１１３  側壁
１１４  ガイドに囲まれる領域に設けられる緩衝材
１１５  ガイドの内周面に設けられる緩衝材
１１６  摩擦係数が高い層
１２  第二の表示パネル保持部材
１２１  側壁
１２２  緩衝材
１２３  摩擦係数が高い層
１３  表示パネル
１３２  ゲートドライバが実装されるＴＡＢ
１３３  ゲートドライバ
１３４  ソースドライバが実装されるＴＡＢ
１３５  ソースドライバ
１３６  プリント配線基板
【図１】
2008096851.tif 000003
【図２】
2008096851.tif 000004
【図３】
2008096851.tif 000005
【図４】
2008096851.tif 000006
【図５】
2008096851.tif 000007
【図６】
2008096851.tif 000008
【図７】
2008096851.tif 000009
【図８】
2008096851.tif 000010